【手続補正書】
【提出日】平成27年6月24日(2015.6.24)
【手続補正１】
【補正対象書類名】明細書
【補正対象項目名】発明の名称
【補正方法】変更
【補正の内容】
【発明の名称】グラフェン及び酸化グラフェン塩の作製方法
【手続補正２】
【補正対象書類名】特許請求の範囲
【補正対象項目名】全文
【補正方法】変更
【補正の内容】
【特許請求の範囲】
【請求項１】
グラファイトとアルカリ金属塩を含む酸化剤とを溶液中で混合して、第１の沈殿物を生成し、
酸性溶液を用いて前記第１の沈殿物に含まれる前記アルカリ金属塩を含む酸化剤を電離させ、前記第１の沈殿物から前記アルカリ金属塩を含む酸化剤を除去して、第２の沈殿物を生成し、
前記第２の沈殿物と水とを混合して第１の混合液を形成した後、前記第１の混合液に超音波を印加して、または前記第１の混合液を機械的に攪拌して、前記第２の沈殿物に含まれる、前記グラファイトが酸化された酸化グラファイトから酸化グラフェンを分離し、前記酸化グラフェンが分散した第２の混合液を調製し、
前記第２の混合液と塩基性溶液及び有機溶媒とを混合し、前記第２の混合液に含まれる前記酸化グラフェンと前記塩基性溶液に含まれる塩基とを反応させ、酸化グラフェン塩を生成することを特徴とする酸化グラフェン塩の作製方法。
【請求項２】
グラファイトと酸化剤とを溶液中で混合して、酸化グラファイト及び前記酸化剤を含む第１の沈殿物を有する第１の混合液を調製し、
前記第１の混合液から、前記第１の沈殿物を回収した後、酸性溶液を用いて前記第１の沈殿物から前記酸化剤を除去して、前記酸化グラファイトを含む第２の沈殿物を生成し、
前記第２の沈殿物と水とを混合した後、超音波を印加して、または機械的に攪拌して、前記酸化グラファイトから酸化グラフェンを分離し、前記酸化グラフェンが分散した第２の混合液を調製し、
前記第２の混合液と塩基性溶液及び有機溶媒とを混合し、前記第２の混合液に含まれる前記酸化グラフェンと塩基とを反応させて酸化グラフェン塩を沈殿させ、前記酸化グラフェン塩を回収することを特徴とする酸化グラフェン塩の作製方法。
【請求項３】
グラファイトとアルカリ金属塩を含む酸化剤とを溶液中で混合して、第１の沈殿物を生成し、
酸性溶液を用いて前記第１の沈殿物に含まれる前記アルカリ金属塩を含む酸化剤を電離させ、前記第１の沈殿物から前記アルカリ金属塩を含む酸化剤を除去して、第２の沈殿物を生成し、
前記第２の沈殿物と水とを混合した後、塩基性溶液及び有機溶媒を加え、前記第２の沈殿物に含まれる、前記グラファイトが酸化された酸化グラファイトと前記塩基性溶液とを反応させ、酸化グラファイト塩を含む第３の沈殿物を生成し、
前記第３の沈殿物と水とを混合して、前記第３の沈殿物から酸化グラフェン塩を分離することを特徴とする酸化グラフェン塩の作製方法。
【請求項４】
グラファイトと酸化剤とを溶液中で混合して、酸化グラファイト及び前記酸化剤を含む第１の沈殿物を有する第１の混合液を調製し、
前記第１の混合液から、前記第１の沈殿物を回収した後、酸性溶液を用いて前記第１の沈殿物から前記酸化剤を除去して前記酸化グラファイトを含む第２の沈殿物を生成し、
前記第２の沈殿物と水とを混合した後、塩基性溶液及び有機溶媒を加え、前記第２の沈殿物に含まれる酸化グラファイトと塩基とを反応させて酸化グラファイト塩を含む第３の沈殿物を生成し、
前記第３の沈殿物と水とを混合した後、超音波を印加して、または機械的に攪拌して、前記第３の沈殿物から酸化グラフェン塩を分離し、前記酸化グラフェン塩が分散した第２の混合液を調製し、前記第２の混合液に含まれる前記酸化グラフェン塩を回収することを特徴とする酸化グラフェン塩の作製方法。
【請求項５】
請求項１乃至請求項４のいずれか一項において、前記酸化剤は、硝酸及び塩素酸カリウムを含む、硫酸及び過マンガン酸カリウムを含む、または硝酸、硫酸及び塩素酸カリウムを含むことを特徴とする酸化グラフェン塩の作製方法。
【請求項６】
請求項１乃至請求項５のいずれか一項において、前記酸性溶液は、塩酸、希硫酸、または硝酸であることを特徴とする酸化グラフェン塩の作製方法。
【請求項７】
請求項１乃至請求項６のいずれか一項において、前記塩基性溶液は、水酸化ナトリウム水溶液、水酸化カリウム水溶液、アンモニア水溶液、メチルアミン溶液、エタノールアミン溶液、ジメチルアミン溶液、またはトリメチルアミン溶液であることを特徴とする酸化グラフェン塩の作製方法。
【請求項８】
請求項１乃至請求項７のいずれか一項において、前記有機溶媒は、アセトン、メタノール、またはエタノールであることを特徴とする酸化グラフェン塩の作製方法。
【請求項９】
グラファイトとアルカリ金属塩を含む酸化剤とを溶液中で混合して、第１の沈殿物を生成し、
酸性溶液を用いて前記第１の沈殿物に含まれる前記アルカリ金属塩を含む酸化剤を電離させ、前記第１の沈殿物から前記アルカリ金属塩を含む酸化剤を除去して、第２の沈殿物を生成し、
前記第２の沈殿物と水とを混合して第１の混合液を形成した後、前記第１の混合液に超音波を印加して、または前記第１の混合液を機械的に攪拌して、前記第２の沈殿物に含まれる、前記グラファイトが酸化された酸化グラファイトから酸化グラフェンを分離し、前記酸化グラフェンが分散した第２の混合液を調製し、
前記第２の混合液と塩基性溶液及び有機溶媒とを混合し、前記第２の混合液に含まれる前記酸化グラフェンと前記塩基性溶液に含まれる塩基とを反応させ、酸化グラフェン塩を生成し、
前記酸化グラフェン塩を還元して、グラフェンを生成することを特徴とするグラフェンの作製方法。
【請求項１０】
グラファイトと酸化剤とを溶液中で混合して、酸化グラファイト及び前記酸化剤を含む第１の沈殿物を有する第１の混合液を調製し、
前記第１の混合液から、前記第１の沈殿物を回収した後、酸性溶液を用いて前記第１の沈殿物から前記酸化剤を除去して、前記酸化グラファイトを含む第２の沈殿物を生成し、
前記第２の沈殿物と水とを混合した後、超音波を印加して、または機械的に攪拌して、前記酸化グラファイトから酸化グラフェンを分離し、前記酸化グラフェンが分散した第２の混合液を調製し、
前記第２の混合液と塩基性溶液及び有機溶媒とを混合し、前記第２の混合液に含まれる前記酸化グラフェンと塩基とを反応させて酸化グラフェン塩を沈殿させ、前記酸化グラフェン塩を回収し、
前記酸化グラフェン塩を還元して、グラフェンを生成することを特徴とするグラフェンの作製方法。
【請求項１１】
グラファイトとアルカリ金属塩を含む酸化剤とを溶液中で混合して、第１の沈殿物を生成し、
酸性溶液を用いて前記第１の沈殿物に含まれる前記アルカリ金属塩を含む酸化剤を電離させ、前記第１の沈殿物から前記アルカリ金属塩を含む酸化剤を除去して、第２の沈殿物を生成し、
前記第２の沈殿物と水とを混合した後、塩基性溶液及び有機溶媒を加え、前記第２の沈殿物に含まれる、前記グラファイトが酸化された酸化グラファイトと前記塩基性溶液とを反応させ、酸化グラファイト塩を含む第３の沈殿物を生成し、
前記第３の沈殿物と水とを混合して、前記第３の沈殿物から酸化グラフェン塩を分離し、
前記酸化グラフェン塩を還元して、グラフェンを生成することを特徴とするグラフェンの作製方法。
【請求項１２】
グラファイトと酸化剤とを溶液中で混合して、酸化グラファイト及び前記酸化剤を含む第１の沈殿物を有する第１の混合液を調製し、
前記第１の混合液から、前記第１の沈殿物を回収した後、酸性溶液を用いて前記第１の沈殿物から前記酸化剤を除去して前記酸化グラファイトを含む第２の沈殿物を生成し、
前記第２の沈殿物と水とを混合した後、塩基性溶液及び有機溶媒を加え、前記第２の沈殿物に含まれる酸化グラファイトと塩基とを反応させて酸化グラファイト塩を含む第３の沈殿物を生成し、
前記第３の沈殿物と水とを混合した後、超音波を印加して、または機械的に攪拌して、前記第３の沈殿物から酸化グラフェン塩を分離し、前記酸化グラフェン塩が分散した第２の混合液を調製し、前記第２の混合液に含まれる前記酸化グラフェン塩を回収し、
前記酸化グラフェン塩を還元して、グラフェンを生成することを特徴とするグラフェンの作製方法。
【請求項１３】
請求項９乃至請求項１２のいずれか一項において、前記酸化剤は、硝酸及び塩素酸カリウムを含む、硫酸及び過マンガン酸カリウムを含む、または硝酸、硫酸及び塩素酸カリウムを含むことを特徴とするグラフェンの作製方法。
【請求項１４】
請求項９乃至請求項１３のいずれか一項において、前記酸性溶液は、塩酸、希硫酸、または硝酸であることを特徴とするグラフェンの作製方法。
【請求項１５】
請求項９乃至請求項１４のいずれか一項において、前記塩基性溶液は、水酸化ナトリウム水溶液、水酸化カリウム水溶液、アンモニア水溶液、メチルアミン溶液、エタノールアミン溶液、ジメチルアミン溶液、またはトリメチルアミン溶液であることを特徴とするグラフェンの作製方法。
【請求項１６】
請求項９乃至請求項１５のいずれか一項において、前記有機溶媒は、アセトン、メタノール、またはエタノールであることを特徴とするグラフェンの作製方法。